(57)【要約】【課題】三味線の糸を、正しく調弦した状態を維持しながら確実に保持することができ、音質と音量を向上させることができる糸通し付き音緒駒を提供する。【解決手段】三味線１２の中子先２２と糸１３を連結する薄板状の本体１１を有する。本体１１には、中子先２２に係止される開口部２４と、糸１３が取り付けられる挿通孔２８を備える。挿通孔２８は、本体１１の端部を除いて位置し、本体１１の端部付近は、糸１３が乗り、三味線１２から本体１１の厚みの高さで糸１３を離間させる糸持ち上げ部２９となる。【選択図】図１
2018045119.tif 000002
【特許請求の範囲】
【請求項１】
三味線の中子先と糸を連結する薄板状の本体を有し、前記本体には、前記三味線の中子先に係止される係止部と、前記三味線の糸が取り付けられる取付部が設けられ、前記取付部は前記本体の端部を除いた位置に設けられ、前記本体の端部付近は、前記取付部に取り付けられた前記三味線の糸が乗り前記三味線から前記本体の厚みの高さで離間させる糸持ち上げ部となることを特徴とする糸通し付き音緒駒。
【請求項２】
前記本体には折罫線が設けられて前記三味線の下端の角部にＬ字形に沿う角度に折り曲げられ、折り曲げられて前記中子先側に位置し三味線の胴の枠を形成する板に重ねられる部分には、前記係止部と前記取付部が設けられ、前記中子先と反対側に位置し板に張られた皮に重ねられる部分は前記糸持ち上げ部となる請求項１記載の糸通し付き音緒駒。
【請求項３】
前記取付部は、前記本体を貫通して設けられた一対の挿通孔であり、前記三味線の糸は、一方の前記挿通孔から前記本体の前記三味線側となる内側面に差し込まれ、他方の前記挿通孔から前記本体の外側面に引き出され、外側面で前記糸に結び目を作り、前記挿通孔に戻ることを防いで前記糸を取り付ける請求項１記載の糸通し付き音緒駒。
【請求項４】
前記本体の外側面には突起が設けられ、前記取付部は前記突起に貫通して設けられた挿通孔であり、前記三味線の糸は、前記挿通孔に差し込まれ引き出されたところで結び目を作り、前記挿通孔に戻ることを防いで前記糸を取り付ける請求項１記載の糸通し付き音緒駒。
【請求項５】
前記係止部は、前記三味線の中子先が挿通される開口部である請求項１記載の糸通し付き音緒駒。
【請求項６】
前記係止部は、前記三味線の中子先に結び付ける紐が挿通される孔部であり、前記本体は、前記孔部が設けられている部分が折り曲げられ、前記三味線に取り付けた時に中子先の突出方向に対して略平行となる請求項１記載の糸通し付き音緒駒。
【発明の詳細な説明】
【技術分野】
【０００１】
この発明は、三味線の皮に接触して装着され、弦が取り付けられる糸通し付き音緒駒に関する。
【背景技術】
【０００２】
三味線は、長い棹の部分と四角い胴の部分で作られ、胴は、やや丸みを帯びた四角い木の板４枚を枠状に組み合わせ、両面に犬か猫の皮が張られているものである。棹の上部には糸巻が取り付けられ、糸巻には弦である３本の糸が、棹と平行に張ってある。３本の糸は、三味線を構えた時に上から一の糸、二の糸、三の糸と呼び、一の糸が一番太く低音であり、三の糸が一番細く高音である。３本の糸の、一端部は糸巻に巻き付けられ、他方の端部は、三味線の下端部に設けられた根緒に各々結びつけられている。根緒は、太い組みひもであり、三味線の下端部に突出する中子先に取り付けられ、伸びない材質で作られている。伸びる材質を使用した場合、三味線を弾いている最中に糸がゆるみ、音が下がるという問題がある。皮の中心から少し下端部に近い位置には、糸を乗せる駒が設けられている。
【０００３】
また近年、根緒駒という補助具が使用されている。これは、特許文献１に開示されている三味線専用補助具であり、三味線の下端部の縁に装着されて使用されるものであり、糸持ち上げ部と、位置ずれ防止部とを備える。糸持ち上げ部は、張られた３本の糸と、胴に張られた皮との間に配置されて、糸を皮から離す方へ押し上げている。位置ずれ防止部は、三味線の胴の下端部に当接して、糸持ち上げ部が位置ずれするのを防ぐ。この根緒駒の上に根緒、又は三味線の糸を乗せることによって、音質と音量を簡単に向上させることができる。また糸の、駒との接触部分において糸にかかる負担も小さくなり、駒と接触する部分において糸が切れることが少なくなる。
【先行技術文献】
【特許文献】
【０００４】
【特許文献１】実用新案登録第３１７０９５３号公報
【発明の概要】
【発明が解決しようとする課題】
【０００５】
上記背景技術の場合、根緒駒は、固定されていないためずれることがあり、落としたり、紛失したりすることもある。これを防ぐためには、根緒駒に糸が乗るところに溝を３本入れることが考えられるが、溝を入れると根緒駒の強度が弱まって、三味線を弾いている最中に破損する恐れがある。また、糸の端部を保持する根緒は、糸を緩めないように伸びない材料で作らなければならず、糸を正しく調弦した状態を保つために材料の選択が必要で、また正しい結び方で結ぶことが必要であり、手間がかかるものであった。
【０００６】
この発明は、上記背景技術の問題点に鑑みてなされたものであり、三味線の糸を、正しく調弦した状態を維持しながら確実に保持することができ、音質と音量を向上させることができる糸通し付き音緒駒を提供することを目的とする。
【課題を解決するための手段】
【０００７】
本発明は、三味線の中子先と糸を連結する薄板状の本体を有し、前記本体には、前記三味線の中子先に係止される係止部と、前記三味線の糸が取り付けられる取付部が設けられ、前記取付部は前記本体の端部を除いた位置に設けられ、前記本体の端部付近は、前記取付部に取り付けられた前記三味線の糸が乗り三味線から前記本体の厚みの高さで離間させる糸持ち上げ部となる糸通し付き音緒駒である。
【０００８】
また、前記本体には折罫線が設けられて前記三味線の下端の角部にＬ字形に沿う角度に折り曲げられ、折り曲げられて前記中子先側に位置し前記三味線の胴の枠を形成する板に重ねられる部分には、前記係止部と前記取付部が設けられ、前記中子先と反対側に位置し板に張られた皮に重ねられる部分は前記糸持ち上げ部となる。
【０００９】
また、前記取付部は、前記本体を貫通して設けられた一対の挿通孔であり、前記三味線の糸は、一方の前記挿通孔から前記本体の前記三味線側となる内側面に差し込まれ、他方の前記挿通孔から前記本体の外側面に引き出され、外側面で前記糸に結び目を作り、前記挿通孔に戻ることを防いで前記糸を取り付けるものである。
【００１０】
また、前記本体の外側面には突起が設けられ、前記取付部は前記突起に貫通して設けられた挿通孔であり、前記三味線の糸は、前記挿通孔に差し込まれ引き出されたところで結び目を作り、前記挿通孔に戻ることを防いで前記糸を取り付けるものである。
【００１１】
また、前記係止部は、前記三味線の中子先が挿通される開口部である。また、前記係止部は、前記三味線の中子先に結び付ける紐が挿通される孔部である。前記本体は、前記孔部が設けられている部分を折り曲げてもよく、前記三味線に取り付けた時に中子先の突出方向に対して略平行としてもよい。
【発明の効果】
【００１２】
本発明の糸通し付き音緒駒は、三味線の糸を、正しく調弦した状態を維持しながら確実に保持することができ、音質と音量を向上させることができる。根緒を使用することがなく、外観をすっきりさせることができ、誰にでも簡単に糸を取り付けることができる。
【図面の簡単な説明】
【００１３】
【図１】この発明の第一実施形態の糸通し付き音緒駒の使用状態を示す斜視図である。
【図２】この発明の第一実施形態の糸通し付き音緒駒の外側面を見た斜視図（ａ）と、内側面を見た斜視図（ｂ）である。
【図３】この発明の第二実施形態の糸通し付き音緒駒の使用状態を示す斜視図である。
【図４】この発明の第二実施形態の糸通し付き音緒駒の変形例の使用状態を示す斜視図である。
【発明を実施するための形態】
【００１４】
以下、この発明の実施形態について図面に基づいて説明する。図１、図２はこの発明の第一実施形態を示すもので、この実施形態の糸通し付き音緒駒１０は、三味線１２に装着して使用するものである。ここで三味線１２について説明する。三味線１２は、長い棹１４の部分と四角い胴１６の部分で作られ、胴１６は、やや丸みを帯びた四角い木の板１８を４枚、枠状に組み合わせ、両面に犬か猫の皮２０が張られているものである。棹１４の上端部には図示しない糸巻が取り付けられ、糸巻きには弦である３本の糸１３が、棹１４と平行に張ってある。３本の糸１３は、三味線１２を構えた時に上から一の糸、二の糸、三の糸と呼び、一の糸が一番太く低音であり、三の糸が一番細く高音である。棹１４の下端部は、胴１６を形成する板１８のうち、互いに対向する一対の上板１８ａと下板１８ｂを貫通し、胴１６の内部空間を横断して取り付けられている。上板１８ａには、棹１４の糸巻きを有する上端部側が貫通し、下板１８ｂには反対側の下端部が貫通して外側に突出している。下板１８ｂから外側に突出した下端部は、短い円筒形状の中子先２２となっている。
【００１５】
一対の皮２０の、糸１３が張られる方の表皮２０ａの表面には、３本の糸１３を持ち上げる駒２３が設けられている。駒２３は、糸１３の振動を表皮２０ａに伝える役目をする。象牙、水牛の角、べっ甲、竹等でできている。駒２３の上面には、糸１３の通り道である溝が彫られている。溝の深さは、糸１３の糸の太さに比例している。
【００１６】
この実施形態の糸通し付き音緒駒１０は、下板１８ｂと表皮２０ａで形成される角部を覆って取り付け、中子先２２と糸１３を連結するものである。糸通し付き音緒駒１０は、一方向に長い薄板状の本体１１を有し、べっ甲、象牙、その他の材料で作られ、本体１１の長手方向の一方の端部１１ａは半円形に外側に突出する形状であり、反対側の端部１１ｂは、長手方向に交差する直線で形成されている。本体１１の、長手方向の中心よりも端部１１ｂに近い部分に、端部１１ｂに対して平行な折罫線２６が設けられ、本体１１は折罫線２６でＬ字形に折り曲げられている。折罫線２６の端部１１ａ側は、下板１８ｂに重ねられる連結部２７であり、下板１８ｂに沿うように僅かに外側に湾曲している。端部１１ｂ側は、表皮２０ａに重ねられる糸持ち上げ部２９であり、平面で形成され、表皮２０ａに張られた糸１３が乗ることにより糸１３を表皮２０ａから本体１１の厚みの高さで離間させる。本体１１の厚みはなるべく薄くし、糸持ち上げ部２９を低くして音色の改善効果を高める。折罫線２６の折り曲げ角度は、直角よりも少し大きい鈍角であり、表皮２０ａと下板１８ｂに添う角度である。
【００１７】
連結部２７には、端部１１ａの半円形状のほぼ中心に、中子先２２が挿通される円形の開口部２４が貫通して設けられている。なお本体１１の係止部である開口部２４は、折罫線２６が下板１８ｂの、表皮２０ａ側の角部にくる時に、中子先２２に一致するように設けられている。開口部２４と折罫線２６の間には、糸１３が挿通される挿通孔２８が、連結部２７を貫通して設けられている。挿通孔２８は、糸１３が取り付けられる取付部であり、折罫線２６に対して平行に、２列に、３個づつ、合計６個設けられている。なお、１列目と２列目の挿通孔２８は、本体１１の長手方向、つまり糸１３が張られる方向に互いに一致して設けられている。挿通孔２８の内径は、同じ列の中で互いに異なり一の糸、二の糸、三の糸の、各々糸１３の径に合わせられている。
【００１８】
次に、糸通し付き音緒駒１０の使用方法について説明する。まず、棹１４の先端の図示しない糸巻に取り付けられた３本の糸１３を、糸通し付き音緒駒１０の連結部２７に取り付ける。糸１３は、折罫線２６に近い列の３個の挿通孔２８のうち、いずれかに、連結部２７の湾曲が凸となる外側面から差し込み、内側面を折罫線２６から離れる方に移動させ、折罫線２６から遠い列の挿通孔２８から外側面に引き出す。外側面に引き出したところで結び目を作り、挿通孔２８から内側面に戻らないように係止する。これを３本の糸１３について繰り返し、３本の糸１３を取り付ける。３本の糸１３を取り付けた糸通し付き音緒駒１０を、連結部２７の湾曲が下板１８ｂに沿って外側に凸となるようにセットして、開口部２４に中子先２２を挿通する。下板１８ｂの、表皮２０ａ側の角部に折罫線２６を当てて、下板１８ｂと表皮２０ａに重ねる。
【００１９】
このあと、棹１４の先端の図示しない糸巻を回して糸１３を張る。張られた糸１３を表皮２０ａから静かに持ち上げ、表皮２０ａとの間に駒２３を置き、駒２３の溝に糸１３を入れてかける。その後、調弦する。なお、糸通し付き音緒駒１０を取り付ける手順は、自由に変更可能であり、糸１３は糸通し付き音緒駒１０に取り付けた後に糸巻に巻き回してもよい。
【００２０】
この実施形態の糸通し付き音緒駒１０によれば、糸１３を表皮２０ａから離間することにより、音色と音量を向上させることができる。糸１３は駒２３から下板１８ｂの角部に向かって、相対的に穏やかな角度で下降するようになり、３本の糸１３によって駒２３が押される力も、従来の場合に比べて小さくなる。すなわち、駒２３を表皮２０ａに押し付ける力が小さくなる。その結果、表皮２０ａが振動しやすくなり、同じ力で糸１３を弾いたとしても、従来より、大きな音量が得られる。また、胴１６から棹１４に伝わる振動も大きくなり、全体としての音質も向上する。糸通し付き音緒駒１０は、中子先２２と糸１３に係止されているため、ずれたり落としたりすることがなく、安定して演奏することができる。
【００２１】
さらに、この実施形態の糸通し付き音緒駒１０は、糸１３の取り付けが簡単であり、初心者でも確実に取り付けることができる。伸縮性が無いため、調弦した状態を維持することができる。また、音緒が不要であり、外観がすっきりとするものである。
【００２２】
次にこの発明の第二実施形態について図３に基づいて説明する。なお、ここで、上記実施形態と同様の部材は同様の符号を付して説明を省略する。この実施形態の糸通し付き音緒駒３０は、一方向に長い薄板状の本体３１を有している。本体３１は、長手方向の両方の端部３１ａ，３１ｂが長手方向に交差する直線で形成されている。長手方向の中心よりも少し一方の端部３１ｂに近い部分に、端部３１ｂに対して平行な折罫線３２が設けられ、本体３１は折罫線３２でＬ字形に折り曲げられている。折罫線３２の端部３１ａ側は、下板１８ｂに重ねられる連結部３５であり、下板１８ｂに沿うように僅かに外側に湾曲している。端部３１ｂ側は、表皮２０ａに重ねられる糸持ち上げ部３３であり、平面で形成され、表皮２０ａに張られた糸１３が乗ることにより糸１３を表皮２０ａから本体３１の厚みの高さで離間させる。折罫線３２の折り曲げ角度は、直角よりも少し大きい鈍角であり、表皮２０ａと下板１８ｂに沿う角度である。
【００２３】
連結部３５には、糸１３を取り付ける突起３４が設けられている。突起３４は、折罫線３２に対してほぼ平行に長く設けられ、長手方向に交差する断面形状は一定形状で矩形である。突起３４には、糸１３が挿通される挿通孔３６が３個設けられている。各挿通孔３６は、糸１３が取り付けられる取付部であり、本体３１の長手方向に対して平行に設けられ、かつ本体３１の外側面に対してほぼ平行である。挿通孔３６の内径は互いに異なり、一の糸、二の糸、三の糸の、各々糸１３の径に合わせられている。
【００２４】
突起３４と端部３１ａの間には、２個の孔部３８が設けられ、孔部３８は端部３１ａに対して平行な直線上に並んで位置している。孔部３８は、挿通孔３６よりも内径が大きいものであり、三味線１２の中子先２２に結び付ける紐４０が挿通される係止部である。
【００２５】
次に、糸通し付き音緒駒３０の使用方法について説明する。まず、糸通し付き音緒駒３０の連結部３５に３本の糸１３を取り付ける。糸１３は、突起３４のいずれかの挿通孔３６に、折罫線３２に近い面から差し込んで反対側の面から引き出し、引き出したところで結び目を作り、挿通孔３６の中に戻らないように係止する。これを３回繰り返し、３本を取り付ける。一対の孔部３８には、１本の紐４０を通し、紐４０の両端部を、本体３１の、突起３４とは反対側となる内側面に引き出す。３本の糸１３と紐４０を取り付けた糸通し付き音緒駒３０を、連結部３５の湾曲が下板１８ｂに沿って外側に凸となるようにセットし、下板１８ｂの、表皮２０ａ側の角部に折罫線３２を当てて、下板１８ｂと表皮２０ａに重ねる。孔部３８に挿通した紐４０の両端部を中子先２２の上で一度交差させてから下方に巻き回して結び、中子先２２に係止する。
【００２６】
このあと、第１実施形態と同様に、糸巻を回して糸１３を張り、表皮２０ａとの間に駒２３を置き、調弦する。なお、糸通し付き音緒駒３０を取り付ける順番は、自由に変更可能であり、糸１３は糸通し付き音緒駒３０に取り付けた後に糸巻きに巻き回してもよく、糸通し付き音緒駒３０には糸１３よりも先に紐４０を通して中子先２２に係止してもよい。
【００２７】
この実施形態の糸通し付き音緒駒３０によれば、上記実施の形態と同様の効果を有するものである。さらに、紐４０で中子先２２に係止するため、紐４０で長さを調節することができ、糸通し付き音緒駒３０をいろいろな大きさの三味線１２に取り付けることができる。取り付ける三味線１２の大きさにかかわらず、紐４０で調整して取り付けることができるため、大量生産することが可能である。突起３４を、三味線１２の大きさや用途に合わせて挿通孔３６の内径や間隔を変えて何種類か作り、１種類の本体３１に接着することで多種類の糸通し付き音緒駒３０を製造することができ、簡単に、全ての三味線１２に対応することができる。糸１３は、突起３４の挿通孔３６に挿通して取り付けられているため、糸通し付き音緒駒３０を三味線１２から外さずに、簡単で短時間に必要な糸１３のみを交換することができる。３本の糸１３のうち１本だけ交換する際は、他の２本の糸を緩める必要がなく、調弦も、交換した糸１３のみで行うだけであり、手間がかからないものである。左利きの使用者には、一の糸、二の糸、三の糸の、糸１３の取り付け順が逆となるが、突起３４を本体３１に接着する向きを逆にすることで対応することができる。突起３４の接着する向きを逆にするだけなので、左利き用の糸通し付き音緒駒３０を、コストをかけずに製造することができる。
【００２８】
なお図４は、この実施形態の糸通し付き音緒駒３０の変形例を示すものである。図４に示す糸通し付き音緒駒３０は、連結部３５の、突起３４と孔部３８の間の位置に端部３１ａに対して平行な折罫線４２が設けられ、連結部３５は折罫線４２でＬ字形に折り曲げられている。折り曲げ角度は９０°程度である。これにより一対の孔部３８は、糸１３を取り付ける挿通孔３６とほぼ平行に挿通する。また、挿通孔３６が設けられている突起３４は、長手方向に交差する断面形状が半円形である。
【００２９】
この糸通し付き音緒駒３０の変形例の使用方法は、上記実施形態と同様であり、３本の糸１３を、突起３４の挿通孔３６に各々取り付け、孔部３８には１本の紐４０を通す。３本の糸１３と紐４０を取り付けた糸通し付き音緒駒３０を、下板１８ｂと表皮２０ａに重ね、紐４０を中子先２２に巻き回して結び、係止する。折罫線４２と端部３１ａの間の部分は板１８ｂに対して直角に位置し、中子先２２の突出方向に平行となるため、紐４０で中子先２２に結ぶ際に、中子先２２に引き寄せやすく、簡単に、ゆるみがない位置で紐４０の結び目をつくることができる。そして、上記の糸通し付き音緒駒３０と同様の効果を有するものである。
【００３０】
なお、この発明の糸通し付き音緒駒は、上記各実施形態に限定されるものではなく、各部材の形状や取り付け位置は適宜変更可能である。三味線と同様の構造を有する他の弦楽器（三線や胡弓）にも使用することができる。
【符号の説明】
【００３１】
１０，３０  糸通し付き音緒駒
１１，３１  本体
１１ａ，１１ｂ，３１ａ，３１ｂ  端部
１２  三味線
１３  糸
１６  胴
１８  板
２０  皮
２２  中子先
２４  開口部
２６，３２，４２  折罫線
２８，３６  挿通孔
２９，３３  糸持ち上げ部
３４  突起
３８  孔部
４０  紐
【図１】
2018045119.tif 000003
【図２】
2018045119.tif 000004
【図３】
2018045119.tif 000005
【図４】
2018045119.tif 000006